(57)【要約】【課題】頭部のサイズが異なっている場合であっても、頭部に対して良好な着用性を有しながら、製作性の向上を図った編成キャップを提供する点にある。【解決手段】頭部Ｈに装着自在な筒状又は有底筒状のキャップ部Ａ１の全体が周方向に伸縮自在に編成されている編成キャップＡであって、キャップ部Ａ１の上側編成部１及び下側編成部２には、キャップ部Ａ１を構成する編成糸Ｂとは別に周方向に伸縮可能な弾性糸Ｃ１，Ｃ２が編込まれ、上側編成部１の無負荷時における弾性糸の収縮力が、下側編成部２の無負荷時における弾性糸Ｃ１，Ｃ２の収縮力よりも大に構成されている。【選択図】図１
2008174862.tif 000002
【特許請求の範囲】
【請求項１】
頭部に装着自在な筒状又は有底筒状のキャップ部が周方向に伸縮自在に編成されている編成キャップであって、
前記キャップ部の上側編成部及び下側編成部には、キャップ部を構成する編成糸とは別に周方向に伸縮可能な弾性糸が編込まれ、上側編成部の無負荷時における弾性糸の収縮力が、下側編成部の無負荷時における弾性糸の収縮力よりも大に構成されている編成キャップ。
【請求項２】
頭部に装着自在な筒状又は有底筒状のキャップ部が周方向に伸縮自在に編成されている編成キャップであって、
前記キャップ部の上側編成部には、キャップ部を構成する編成糸とは別に周方向に伸縮可能な弾性糸が張力を付与した状態で編込まれているとともに、前記キャップ部の下側編成部には、キャップ部を構成する編成糸とは別に周方向に伸縮可能な弾性糸が張力を付与しない状態で編込まれている編成キャップ。
【請求項３】
前記キャップ部の中間編成部には、上側編成部及び下側編成部に編込まれている弾性糸が編込まれていない請求項１又は２記載の編成キャップ。
【請求項４】
前記キャップ部が丸編みによって編成されている請求項１、２又は３記載の編成キャップ。
【請求項５】
前記キャップ部が、パイル編みによって編成されている請求項１〜４のいずれか１項に記載の編成キャップ。
【発明の詳細な説明】
【技術分野】
【０００１】
本発明は、頭部における汗の吸取りに用いる編成キャップに関する。
【背景技術】
【０００２】
一般に、工場内や建築現場、危険な作業現場、バイクの搭乗の際等においてヘルメットの着用が行われている。
ヘルメット自体は、頭部に対する衝撃を緩衝する着用構造を基本的に備えているが、着用時の通気性が悪い傾向がある。
そのため、夏場や熱気雰囲気下等の環境下における汗対策においては、着用の際、頭部とヘルメットとの間にタオル等を挟んで、頭部からの汗を吸取らせることが一般的に行われている。
そのため、近年においては、ヘルメット着用時の汗取り対策商品として、頭部に直接に着用可能な半球状の汗取りキャップが存在している。
この種、汗取りキャップとして、綿製のタオル地やガーゼ生地を半球状に、且つ、型崩れを防ぐため本縫いで縫製されているものが存在している（例えば、特許文献１参照）。
また、他の汗取りキャップとして、吸汗性と伸縮性を備えた筒状の布地材料が用いられ、頭部の額回りに該当する一端開口側を、生地を二重に縫製するなどして他の生地部分よりも強い緊張力を形成するとともに、他端開口側を立体裁断して頭部の額周りより上の頭部形状に相当する形状に縫製されているものが開示されている（例えば、特許文献２参照）。
【０００３】
【特許文献１】登録実用３０９０７８６号（第６頁、第７頁、図１）
【特許文献２】特開２００３−３４２８２３号公報（第３頁、第４頁、図２）
【発明の開示】
【発明が解決しようとする課題】
【０００４】
ところが、前記前者の汗取りキャップは、綿製のタオル地やガーゼ生地を半球状に、且つ、型崩れを防ぐため本縫いで縫製されているものであり、その結果、生地に伸縮性がなく、頭部の大きさに対応する複数のサイズのものが用意された商品形態になっている。
そのため、僅かでもサイズが小さければ着用することができず、僅かでもサイズが大きければだぶついた着用状態となり汗取り効果が後退する商品傾向を示す問題がある。
そして、このことは、例えば、同一人物であっても、散髪をした初期では着用することができても、後期では頭部の毛髪のボリュームも異なるため着用することができないようなこともあり、使用における対応性の幅が狭い問題を有している。
また、前記後者の汗取りキャップは、頭部サイズの融通性はあるものの、筒状の布地材料の一端の開口側を、生地を二重に縫製したり、他端の開口側を立体裁断して製作したりする必要があるので、製作に熟練と手間を要する問題がある。
【０００５】
本発明は、上述の実状に鑑みて為されたものであって、その主たる課題は、頭部のサイズが異なっている場合であっても、頭部に対して良好な着用性を有しながら、製作性の向上を図った編成キャップを提供する点にある。
【課題を解決するための手段】
【０００６】
本発明の請求項１による編成キャップの特徴構成は、頭部に装着自在な筒状又は有底筒状のキャップ部が周方向に伸縮自在に編成されている編成キャップであって、
前記キャップ部の上側編成部及び下側編成部には、キャップ部を構成する編成糸とは別に周方向に伸縮可能な弾性糸が編込まれ、上側編成部の無負荷時における弾性糸の収縮力が、下側編成部の無負荷時における弾性糸の収縮力よりも大に構成されている点にある。
【０００７】
上記特徴構成によれば、キャップ部の上側編成部と下側編成部とで編成されている弾性糸の収縮力の強さに応じてキャップ部が変形することになり、着用していない状態つまり無負荷時の状態では、頭部の略正面視又は側面視の形状に略対応する形状となる。
そのため、着用している状態つまり負荷時の状態では、頭部の大きさや形状に対応してキャップ部が周方向に収縮力に抗して延びて、頭部にキャップ部が密着するように着用することができる。
【０００８】
従って、使用者の頭部の大きさに異なりがあったとしても、夫々の大きさの頭部に密着した着用が可能となり、従来の汗取りキャップように頭部の大きさ別に複数のサイズのものを用意していたものに比し、一つの編成キャップで異なる頭部サイズに対応することができ、サイズ面で融通性があるので着用性の向上を図ることができる。
しかも、上側編成部と下側編成部に編込まれる弾性糸の収縮力の大きさを変えるといった簡単な編成構成であるので、従来のように立体裁断のような熟練を要して製作するものに比して、熟練を要さずに製作することができるので、製作性の向上を図ることができる。
【０００９】
本発明の請求項２による編成キャップの特徴構成は、頭部に装着自在な筒状又は有底筒状のキャップ部が周方向に伸縮自在に編成されている編成キャップであって、
前記キャップ部の上側編成部には、キャップ部を構成する編成糸とは別に周方向に伸縮可能な弾性糸が張力を付与した状態で編込まれているとともに、前記キャップ部の下側編成部には、キャップ部を構成する編成糸とは別に周方向に伸縮可能な弾性糸が張力を付与しない状態で編込まれている点にある。
【００１０】
上記特徴構成によれば、無負荷状態において、引張力を付与した上側編成部では、収縮力が作用して縮径された筒状態となり、引張力を付与しない下側編成部では、弾性糸を用いながら弾性糸による収縮力が作用しない。
着用している状態つまり負荷時の状態では、頭部の大きさや形状に対応してキャップ部が周方向に収縮力に抗して延びて、頭部にキャップ部が密着するように着用することができる。
【００１１】
従って、使用者の頭部の大きさに異なりがあったとしても、夫々の大きさの頭部において密着した着用が可能となり、従来の汗取りキャップように頭部の大きさ別に複数のサイズのものを用意していたものに比し、一つの編成キャップで異なる頭部サイズに対応することができ、サイズ面で融通性があるので着用性の向上を図ることができる。
しかも、上側編成部と下側編成部に編込まれる弾性糸の収縮力の大きさを変えるといった簡単な編成構成であるので、従来のように立体裁断のような熟練を要して製作するものに比して、熟練を要さずに製作することができるので、製作性の向上を図ることができる。
【００１２】
本発明の請求項３による編成キャップの特徴構成は、前記キャップ部の中間編成部には、上側編成部及び下側編成部に編込まれている弾性糸が編込まれていない点にある。
【００１３】
上記特徴構成によれば、下側編成部は無負荷時には弾性糸が作用しないで頭に着用した負荷時に収縮力が作用し、中間編成部は無負荷時には編成されたそのままの状態で、頭に着用した負荷時に編地自体の持つ収縮力が作用し、上側編成部は無負荷時において既に収縮力によって編地自体が周方向に収縮状態にあって負荷時には反対に収縮力に抗して伸長した収縮力が作用することになるので、頭部部分に略均等な収縮力で着用することができる。
また、上側編成部と下側編成部に弾性糸が編込まれている編成部分がありながら、中間編成部に弾性糸が編込まれていない構成にすることによって、編成キャップに弾性糸に拘束されない編地の素材感を着用時に体感することができる。
【００１４】
従って、頭部に沿うような密着性があり使用感の良い編成キャップを形成することができる。
【００１５】
本発明の請求項４による編成キャップの特徴構成は、前記キャップ部が丸編みによって編成されている点にある。
【００１６】
上記特徴構成によれば、丸編みによって編成された編地自体は、特に周方向の伸縮性が良好で、且つ、下側編成部及び上側編成部などに編成されている弾性糸の収縮力による伸縮に追従することができる。
【００１７】
従って、タオル地やガーゼ地のような生地自体に伸縮性の乏しい織物地からなるキャップに比し、頭部のサイズの大小に関係なく頭部に編成キャップを密着状態に着用することができるので、良好な装着性を形成して使用品質の高い編成キャップを形成することができる。
【００１８】
本発明の請求項５による編成キャップの特徴構成は、前記キャップ部が、パイル編みによって編成されている点にある。
【００１９】
上記特徴構成によれば、編地自体がパイル起毛されて肉厚感がありながら肌当たりに柔軟性があるので、ヘルメットのインナーキャップに使用した際、ヘルメットの装着感が良いとともに、万が一にヘルメットに不測の衝撃を受けた場合においても、頭に伝わる衝撃力を緩衝することができる。また、編地自体が肉厚となって吸収した汗の吸収量を多くすることができる。
【００２０】
従って、ヘルメットの装着品質を良好にすることができるとともに、吸汗性の向上を図ることができる。
【発明を実施するための最良の形態】
【００２１】
以下、本発明の実施の形態の編成キャップＡを図面に基づいて説明する。
この実施形態の編成キャップＡは、図４に示すように、下側開口Ａ１ａから上側開口Ａ１ｂに亘って先すぼまりの有底筒状のキャップ部Ａ１に構成され、図１に示すように、額周り部Ｈ１から頂部Ｈ２に至る頭部Ｈに被る状態で着用可能に編成されている。
【００２２】
前記キャップ部Ａ１は、丸編みにパイル起毛するパイル編みによって円筒状に編成され、周方向に伸縮自在に編成され筒状編成体の上側開口を綴じて構成されている。
【００２３】
このキャップ部Ａ１の上側編成部１及び下側編成部２には、キャップ部Ａ１の編地Ａ２を構成する編成糸Ｂとは別に周方向に伸縮可能な弾性糸Ｃ１，Ｃ２が編込まれ、上側編成部１の無負荷時における弾性糸Ｃ１の収縮力が、下側編成部２の無負荷時における弾性糸Ｃ２の収縮力よりも大に構成されている。ここで、この実施形態における丸編みとは、一般に言われる編地Ａ２自体に伸縮性を有し、この実施形態では、キャップ部Ａ１の周方向に沿う編み込みの数は同じに設定されている。
【００２４】
前記キャップ部Ａ１の上側編成部１には、キャップ部Ａ１を構成する編成糸Ｂとは別に周方向に伸縮可能な弾性糸Ｃ１が引張力を付与した状態で編成されているとともに、前記キャップ部Ａ１の下側編成部２には、キャップ部Ａ１を構成する編成糸Ｂとは別に周方向に伸縮可能な弾性糸Ｃ２が引張力を付与しない状態で編成されて、上側編成部１の無負荷時における弾性糸Ｃ１の収縮力が、下側編成部２の無負荷時における弾性糸Ｃ２の収縮力よりも大に構成されている。
【００２５】
また、前記キャップ部Ａ１の中間編成部３は、上側編成部１及び下側編成部２のように弾性糸Ｃ１，Ｃ２が編込まれていない構成になっているが、丸編みされているので編地Ａ２自体に周方向に大きな伸縮性を備えているので、拡径方向の変形には圧縮力が作用する。
【００２６】
このようにパイル起毛されたパイル編みによって編成されたキャップ部Ａ１は、特に周方向の伸縮性が良好で、下側編成部２及び上側編成部１などに編成されている弾性糸Ｃ１，Ｃ２の伸縮に追従可能である。
【００２７】
この実施形態のキャップ部Ａ１は、下側編成部２から上側編成部１に向けて、丸編み機によって円筒状に編成され、この状態で開口する上側編成部１の上端開口縁を伸縮性のある環縫い６によって綴じ縫いされ有底筒状のキャップ形態を形成するとともに、下側編成部２の下端開口縁においては、該下端開口縁を内側に折り返して伸縮性のある環縫い７で縁かがりして糸ほつれが防止されている。
【００２８】
前記上側編成部１は、図５（イ）、（ロ）に示すように、編成糸Ｂであるパイル糸４と芯糸５を用いて編成され、これら一方のパイル糸４によって形成されたループ状に起毛するパイル部が編地Ａ２の表側に露出し、他方の芯糸５が裏側に露出する編地Ａ２構成になっているとともに、キャップ部Ａ１を構成する編成糸Ｂとは別に周方向に伸縮可能な弾性糸Ｃ１が張力を付与した状態で編成されている。
【００２９】
前記上側編成部１の弾性糸Ｃ１は、周方向に並設状態に連続編成されるパイル部の表側と裏側に交互に弾性糸Ｃ１が編み込まれている。
【００３０】
前記下側編成部２は、図６に示すように、２本の編成糸Ｂであるパイル糸４と芯糸５を用いて編成され、これら一方のパイル糸４によって形成されたループ状に起毛するパイル部が編地Ａ２の表側に露出し、他方の芯糸５が裏側に露出する編地Ａ２構成になっているとともに、キャップ部Ａ１を構成する編成糸Ｂとは別に周方向に伸縮可能な弾性糸Ｃ２が張力を付与した状態で編成されている。
【００３１】
前記下側編成部２の弾性糸Ｃ２は、前記上側編成部１と同様に周方向に並設状態に連続編成されるパイル部の表側と裏側に交互に弾性糸Ｃ２が編み込まれる編成がなされている。
【００３２】
前記中間編成部３は、図７に示すように、２本の編成糸Ｂであるパイル糸４と芯糸５を用いて編成され、これら一方のパイル糸４によって形成されたループ状に起毛するパイル部が編地Ａ２の表側に露出し、他方の芯糸５が裏側に露出する編地Ａ２構成になっている。ここで、図５〜図７はキャップ部Ａ１の編成構造を示す模式図であり、編成構造を理解しやすいようにパイル糸４がパイル起毛するイメージで図示されてはいない。
【００３３】
前期中間編成部３には、方形状の小エリアにパイル起毛しないで編成することにより形成されて、使用者の名前等を記載することができる名札部９が形成されている。
【００３４】
前記編成糸パイル糸４には、例えば、
１）  一本構成の２０番ないし３０番の綿糸
２）  ７０デニールの綿と３０デニールのエステル糸との混紡糸
３）  ７０デニールの綿と３０デニールのアクリル糸との混紡糸
等が用いられて構成されている。
【００３５】
前記編地Ａ２の芯糸５には、例えば、１０〜２０デニールのウレタン糸に、この糸の長手方向に沿って７０デニールのナイロン糸を巻きつけたカバード糸等を用いて構成されている。
【００３６】
前記弾性糸Ｃ１，Ｃ２には、例えば、１２０デニールのポリウレタン糸（ゴム糸でもよい）に、この糸の長手方向に沿って７５デニールのポリエステル糸を巻きつけたカバード糸を用いて構成されている。
【００３７】
このような構成であれば、無負荷状態において、上側編成部１は、周方向の収縮力が常に作用して縮径された状態となり、下側編成部２は、弾性糸Ｃ２を用いながら弾性糸Ｃ２による収縮力が殆ど作用しない。また、中間編成部３は、編地の収縮力が作用しない自然な状態にある。
そのため、全体の形状が着用する頭部Ｈの形状に対応する形状に形成される。
【００３８】
そのため、着用している状態つまり負荷時の状態では、頭部Ｈの大きさや形状に対応して全体が周方向に収縮力に抗して延びて、頭部Ｈに沿うように密着した着用が可能となる。
【００３９】
上側編成部１と下側編成部２に弾性糸Ｃ１，Ｃ２が編込まれ、中間編成部３に弾性糸Ｃ１，Ｃ２が編込まれていない編地構成にすることによって、編成キャップＡの弾性糸Ｃに拘束されない編地部分が存在しているので、編地自体の素材感を着用時に体感することができる。
【００４０】
また、この実施形態の編成キャップＡは、編地Ａ２自体が名札部９を除いて表面がパイル起毛され、肉厚感がありながら肌当たりに柔軟性があり、ヘルメット１０のインナーキャップに使用した際、ヘルメット１０の装着感が良いとともに、万が一にヘルメット１０に不測の衝撃を受けた場合においても、頭に伝わる衝撃力を緩衝することができる。さらに、編地Ａ２自体が肉厚となって吸収した汗の吸収量を多くすることができる。
【００４１】
［別実施形態］
１）上記実施の形態において頭部に装着自在なキャップ部Ａ１が有底筒状のものについて説明したが、本発明はこれに限らず、図８に示すように、キャップ部Ａ１が筒状のものであってもよい。
【００４２】
具体的には、丸編みやパイル編みによって、下側編成部２、中間編成部３、上部編成部を上記実施形態と同様に編成し、上側編成部１の上端縁を縁かがり縫いすることで、筒状の編成キャップＡを形成することができる。
【００４３】
この実施形態の編成キャップＡにおいては、頭部Ｈへの着用状態で頭頂部Ｈ２を覆うことはなく開放されることになる。
【００４４】
ここで、編成キャップＡを頭に被りヘルメット１０を着用した状態では、ヘルメットの内側にヘルメットの内面から隙間を有して設けられた帯体から形成される保護ネットに頭が支持されることになる。
【００４５】
そのため、この別実施形態の編成キャップＡによって頭頂部Ｈ２が覆われていないことによって、ヘルメット１０の内面と保護ネットとの間の隙間が外気と連通している場合には、その隙間に空気の対流が生じて、頭頂部を冷却することができる。
【００４６】
尚、この別実施形態において上記実施形態と同様構成部分には同符号を付してその詳細は省略する。
【００４７】
２）上記実施形態では、パイル起毛された丸編みによって編成キャップＡのキャップ部Ａ１を編成したものについて説明したが、本発明はこれに限らず、パイル起毛しない丸編みによってキャップ部Ａ１を編成するものであってもよい。
【００４８】
３）上記実施形態では、名札部９を中間編成部３に形成する例を説明したが、上側編成に形成するものでのあっても、下側編成部２に形成するものであってもよい。
また、何れの編成部にも名札部９を形成しない編成キャップＡであってもよい。
【００４９】
４）上記実施形態では、名札部９を除いてキャップ部Ａ１が、パイル編みされる例を説明したが、上側、中間、下側編成部２の何れか一つの部位又は何れか二つの部位にパイル編みを編成するものであってもよい。
【００５０】
５）上記実施形態では、吸汗性を備える編成糸を用いて編成キャップＡを編成する例を説明したが、本発明はこれに限らず、吸汗性に加えて消臭性を備える編成糸を用いて編成キャップを編成するものであってもよい。
【００５１】
この場合、頭部からの体臭やヘルメット内の残臭を消臭することができるので、使用感がよい。
また、消臭性の他、抗菌性や遠赤外線を備える編成糸を、編成キャップの用途に応じて編成するものであってもよい。
【図面の簡単な説明】
【００５２】
【図１】編成キャップを着用した状態を示す説明図
【図２】編成キャップを示す簡略側面図
【図３】キャップ部を示す簡略斜視図
【図４】編成キャップを示す簡略斜視図
【図５】（イ）上側編成部の編成構成を示す模式図    （ロ）上側編成部の編成構成の断面を示す模式図
【図６】下側編成部の編成構成を示す模式図
【図７】中間編成部の編成構成を示す模式図
【図８】別実施形態の編成キャップを示す簡略斜視図
【符号の説明】
【００５３】
Ａ              編成キャップ
Ａ１            キャップ部
Ａ２            編地
Ｂ              編成糸
Ｃ１            弾性糸
Ｃ２            弾性糸
Ｈ              頭部
１              上側編成部
２              下側編成部
３              中間編成部
【図１】
2008174862.tif 000003
【図２】
2008174862.tif 000004
【図３】
2008174862.tif 000005
【図４】
2008174862.tif 000006
【図５】
2008174862.tif 000007
【図６】
2008174862.tif 000008
【図７】
2008174862.tif 000009
【図８】
2008174862.tif 000010